(57)【要約】  マットレス(２)は、（小さい子供や乳幼児のような）人を支持するための少なくとも一つの上面部分を有する弾性体と、そのまたは各上面部分に配置され、該上面部分に平行に延びる複数の面チャンネル(３０)と、を含む。（例えば、頭および体を支持するための分離した面部分を含む３つの）上面部分は、水平に対して傾けられ（または好ましくは、好適には、解剖学的に傾斜している）。面チャンネル(３０)は、上昇する傾斜方向に方向成分を有する。結果として、人の体との接触により加熱された暖かい空気は、上昇するために、面チャンネル(３０)に沿って通り、周囲の大気に排出される。かくして、人の体から熱が消散され、加熱を防止するのを助ける。
2007529250.tif 000002
【特許請求の範囲】
【請求項１】
人を支持するための、少なくとも一つの上面部分を有する弾性体と、
そのまたは各上面部分に配置され、該上面部分に平行に延びる複数の面チャンネルと、を含む、
ことを特徴とするマットレス。
【請求項２】
弾性体は、使用中、マットレスの上に横たわる人の頭からつま先の方向に相当する伸長軸を有し、少なくとも上面部分は、伸長軸に対して傾けられ、
請求項１に記載のマットレス。
【請求項３】
面チャンネルの少なくともいくつかは、少なくともその一部分に沿って、それぞれの面部分の上昇する傾斜方向に平行な方向成分を有する、
請求項２に記載のマットレス。
【請求項４】
面チャンネルの少なくともいくつかは、少なくともその一部分に沿って、伸長軸に平行な方向成分を有する、
請求項２または請求項３に記載のマットレス。
【請求項５】
面チャンネルの少なくともいくつかは、伸長軸と９０°より小さい角度をなすように、実質的に斜めに延びる、
請求項１から請求項４のいずれか１項に記載のマットレス。
【請求項６】
面チャンネルの少なくともいくつかは、上方から見て、非直線の通路を有する、
請求項１から請求項５のいずれか１項に記載のマットレス。
【請求項７】
弾性体は、前記少なくとも一つの面部分に近接した側壁を含み、マットレスは、少なくとも一つの連結チャンネルさらに含み、そのまたは各連結チャンネルは、複数の前記面チャンネルおよび少なくとも一つの側壁と関連している、
請求項１から請求項６のいずれか１項に記載のマットレス。
【請求項８】
一つのまたは各連結チャンネルは、一つのまたは各上側面部分に配置される、
請求項７に記載のマットレス。
【請求項９】
一つのまたは各連結チャンネルは、前記伸長軸に平行して中心に延びる連結チャンネルを含み、および／または実質的に前記伸長軸を横切って延びる連結チャンネルを含む、
請求項７または請求項８に記載のマットレス。
【請求項１０】
前記面チャンネルは、表面に約４ｍｍ乃至約１５ｍｍの横寸法を有する、
請求項１から請求項９のいずれか１項に記載のマットレス。
【請求項１１】
前記面チャンネルは、表面に約５ｍｍ乃至約２０ｍｍだけ間隔が隔てられている、
請求項１から請求項１０のいずれか１項に記載のマットレス。
【請求項１２】
前記面チャンネルは、チャンネルの長さに沿って変化して例えば弾性体の側壁に近接して寸法が増す横断面積を有する、
請求項１から請求項１１のいずれか１項に記載のマットレス。
【請求項１３】
前記少なくとも一つの上面部分は、使用中、人の体を支持するための体面部分、使用中、人の頭を支持するための頭面部分、および／または先端面部分を含む、
請求項１から請求項１２のいずれか１項に記載のマットレス。
【請求項１４】
実質的に前記伸長軸を横切って延びる連結チャンネルは、前記頭面部分の最も下の領域に沿って延びる、
請求項９に従属する請求項１２に記載のマットレス。
【請求項１５】
一つまたはそれ以上の面部分には、前記面チャンネルが、実質的にその全表面積に設けられる、
請求項１から請求項１４のいずれか１項に記載のマットレス。
【請求項１６】
前記面チャンネルは、実質的に、前記面部分の全表面積に分布されている、
請求項１から請求項１５のいずれか１項に記載のマットレス。
【請求項１７】
添付の図面を参照して実質的に以下に記載されるマットレス。
【発明の詳細な説明】
【技術分野】
【０００１】
本発明は、寝具に関し、より具体的には、高い熱消散特性を有するマットレスに関する。
【背景技術】
【０００２】
ＷＯ／０１／０００６４は、乳幼児を支持するためのユニットを開示する。ユニットは、支持面を含む。支持面は、乳幼児がその面で支持されたとき、乳幼児の通常の解剖学的頸部脊椎の湾曲が維持されるように形づくられている。支持面は、第一部および第二部を有しているのがよく、第一部は、頭を収容するようになっており、第二部は乳幼児の身体の残部を収容するようになっている。第一部および第二部は、乳幼児の後頭部を、乳幼児の身体の残部の上部よりも後方の位置で支持するように、互いに対して配置されるのがよい。支持面は、周壁によって囲まれているのがよい。ユニットはマットレスでもよいが、椅子であってもよい。
【０００３】
人が、寝ている間に過熱を経験することが望ましくないことは、よく確立されており、ベッドや小児用ベッド、幌付き揺りかご等のいずれにおいても、乳幼児や小さい子供の場合、特にそうである。人体は、熱源であり、寝具材料で囲まれると、熱を消散させない場合、過熱を経験する。
【０００４】
以前に、窒息死の回避の、いくぶん異なる問題に取り組もうとする、ある技術が提案された。米国公開特許５，５６１，８７９号は、睡眠中、仰向けの位置で子供を支持するためのマットレスを開示する。呼吸開口（孔）が、主クッション部材の傾斜頭壁に、および睡眠中の子供の呼吸の妨げを排除し、子供の睡眠死のリスクを減ずる一対の側方ガイドに向けられている。
【０００５】
米国公開特許４，５３６，９０６号では、取り外し可能なインサートを有する子供用マットレスが開示される。インサートは、窒息死のリスクを減ずる、頂面から底面まで延びる複数の孔を有する。
【発明の開示】
【発明が解決しようとする課題】
【０００６】
しかしながら、既知のマットレスの問題は、せいぜい、弱められていない呼吸のために人（例えば子供、乳幼児）に十分な空気を得ることに関係している。これらは、人から熱（暖かい空気に具体化される）の取り去りを増大させるまたは最適にする手段を提供しない。
【０００７】
前述の問題を解消し、改良した熱流特性を提供するマットレスの必要性がある。
【課題を解決するための手段】
【０００８】
本発明は、使用中、人を支持するための少なくとも一つの上面部分を有する弾性体と、そのまたは各上面部分に配置され、且つ上面部分と平行に延びる複数の面チャンネルと、を含むマットレスを提供する。
【０００９】
好ましくは、弾性体は、使用中、マットレスに横たわる人の頭からつま先方向に相当する伸長軸を有し、少なくとも一つの上面部分は、伸長軸に対して傾けられる。
【００１０】
好ましくは、面チャンネルの少なくともいくつかは、少なくとも面チャンネルの一部分に沿って、各面チャンネルの上昇する傾斜方向に平行な方向成分を有する。好ましくは、面チャンネルの少なくともいくつかは、少なくとも面チャンネルの一部分に沿って、伸長軸に平行な方向成分を有する。
【００１１】
好ましい実施形態では、面チャンネルの少なくともいくつかは、伸長軸と９０°より小さい角度をなすように実質的に斜めに延びる。ある実施形態では、面チャンネルの少なくともいくつかは、上方から見て、非直線の通路を有する。面チャンネルは、面に、暖かい空気の効果的な消散を達成するのに十分な任意の横寸法を有しているのがよい。好適には、例示として、この横寸法は約５ｍｍ乃至約１５ｍｍである。面チャンネルは、好適には、面チャンネルを収容するのに適しているが、人を支持する面の能力に悪影響を及ぼさない任意の距離だけ間隔を隔てられている。好適には、例示として、この間隔は、約５ｍｍ乃至約２０ｍｍである。面チャンネルは、チャンネルの長さに沿って変化して例えば弾性体の側壁に近接すると寸法が増す横断面積を有していてもよい。好ましくは、一つまたはそれ以上の面部分には、前記面チャンネルが、実質的に、その全表面積に設けられる。ある実施形態では、面チャンネルは、実質的に、前記面部分の全表面積に分布される。
【００１２】
好ましくは、弾性体は、前記少なくとも一つの面部分に近接した側壁を含み、マットレスは、少なくとも一つの連結チャンネルをさらに含み、そのまたは各連結チャンネルは、複数の前記面チャンネル、および少なくとも一つの側壁と関連している。好適には、そのまたは各連結チャンネルは、そのまたは各上面部分に配置される。連結チャンネルは、前記伸長軸に平行して中心に延びる連結チャンネル、および／または実質的に前記伸長軸を横切って延びる連結チャンネルを含んでいてもよい。
【００１３】
ある実施形態では、上面部分は、使用中、人の体を支持するための体面部分、使用中人の頭を支持するための頭面部分、および／または先端部分を含む。この場合には、実質的に前記伸長軸を横切って延びる連結チャンネルは、前記頭面部分の最も下の領域に沿って延びる。
【００１４】
本発明の利点は、傾斜面部分における面チャンネルが、上方に昇る方法で、人の体から遠ざかる方向に延びることである。かくして、暖かい空気が上昇する自然の効果により、体によって暖められた空気は、面チャンネルに沿って且つ上方に通り、可能であれば、連結チャンネルを通って、大気に流出する。本発明のさらなる利点は、過熱によって生じる子供の突然死をある程度まで減ずる可能性である。
【発明を実施するための最良の形態】
【００１５】
今、本発明の実施形態を、添付の図面を参照して、例として説明する。
ここで使用される「マットレス」は、子供または乳幼児を支持するための任意のタイプの弾性物品を意味するのに使用され、特に、伝統的なベッド、小児用ベッド、ベビーベッド、かごベッド、乳母車、ベビーカーのためのマットレス、あるいは、幌付き揺りかご、様々な種類の椅子等のマットレスを含む。この点で、本発明は、様々な年齢の子供に有利に採用されるが、約３歳までの幼児および子供に特に有益である。同時に、本発明は、大人サイズのマットレスに実施されれば、大人の使用者に同様な利益を提供する。
【００１６】
図１は、本発明の一実施形態によるマットレスの斜視図である。この例では、マットレスは、非常に小さい子供または乳幼児のために設計されている。この実施形態では、マットレス（全体的に２で表す）は、矩形ベース４を有し、一般的に平坦な側壁６と、それぞれ頂面８および底面１０と、を有する。分かるように、マットレス２は、部分的に１２で示される、伸長軸を有する。好適には、マットレス２は、マットレス／クッション製品の製造分野でよく知られるように、ポリマー発泡体または他の好適な材料で作られているのがよく、従来の射出成形技術を用いて形成されるのがよい。
【００１７】
この実施形態では、マットレス２は、伸長軸１２に沿って配置された三つの部分、即ち、体部分１４、頭部分１６、および先端部分１８を含む。部分１４，１６，１８のいくつかまたは全ては、ベース４に対して一般的に凹状の断面を提供するように「えぐられる」のがよく、換言すれば、側壁６でのマットレス２の厚さは、中心線１２での厚さより大きい。これは、マットレスに横たわる人を安定位置に維持するのを助ける。使用中、体部分１４は、人（例えば、乳幼児または小さい子供）の体を支持し、頭部分１６は、人の頭を支持する。
【００１８】
好ましい実施形態では、マットレス２の一般的な形状は、くさび形状である。かくして、体部分１４は、人の足から頭まで中心線１２に沿って移動するにつれて上向きの傾斜を有する。先端部分１８は、平坦であってもよいし、或いはいずれかの方向に緩い傾斜を有していてもよい。しかしながら、頭部分１６は、（中心線１２と交差して見て）一般的に部分的な円筒断面形状を有し、頭部分は、第一部２０および第二部２２を含む。第一部２０は、体部分１４と同じ方向に傾けられるのに対し、第二部２２は、反対方向に傾けられている。頭部分１６の形状により、使用中、人の頭を横に自由に有利に移動させることができ、これは、ノッチ２３（使用中、その一つは一般的に人の首の下に位置する）によって容易になる。
【００１９】
部分１４，１６，１８の面２４，２６，２８には、それぞれ面チャンネル３０のパターンが設けられている。面チャンネル３０は、真っ直ぐな、あるいは湾曲した方法で延びる長細いチャンネルであり、Ｕ形、（部分的な）円形、楕円形、正方形、矩形（または他の任意の好適な）断面形状を有していてよい。好適には、面チャンネル３０の断面寸法は、幅が約４ｍｍ乃至約１５ｍｍ、深さが約４ｍｍ乃至約１５ｍｍである。好適には、各面チャンネル３０は、面上の隣接した面チャンネルから約５ｍｍ乃至約２０ｍｍだけ分離されている。しかしながら、上のものの変形例として、同様の効果の同一のものを生ずる限り、他の形状および寸法を採用してもよいことは、当業者に理解されよう。
【００２０】
マットレス２の上面には、また、中心線１２に平行に延びる中央連結チャンネル３２と、一般的に中心線１２に直角であるいくつかの横連結チャンネル３４，３６，３８と、が設けられている。これらの全ては、面チャンネルと同じまたは同様の形状および寸法を有してもよい。
【００２１】
面２４，２６，２８の各々の上の、面チャンネル３０は、横方向に（即ち、側壁に向かって）方向成分を有し、面の上向き傾斜方向に方向成分を有する。換言すれば、上から見て、面チャンネルは、斜めに（例えば中心線１２に対して約４５°に、ただし９０°までの任意の角度）延びる。事実、面チャンネル３０は、中心線１２と直角に延びる一連の平行チャンネルを単に含んでいてもよい。しかしながら、最適には、面チャンネル３０は、暖かい空気の周囲大気への最短通路を提供する通路をたどる。したがって、チャンネル３０は、非直線の、湾曲した通路をたどるのがよい。
【００２２】
マットレスの使用中の有益な効果を、面２４を考慮に入れて説明する。使用中、面２４は実質的に人の体（図示せず）によって覆われる。人体に隣接した空気は、体によって暖められる。暖かい空気が重力に逆らって上昇する自然の物理的効果により、この暖かい空気は、周囲大気に達するまで、面チャンネル３０に沿って上向き方向に通過しなければならない。かくして、人の体で覆われた面チャンネル３０の各々の中で（覆われる程度まで）、暖かい空気は、矢印Ａの方向に移動し、直接上方に、或いは端点４４を通って周囲大気へ、或いは連結チャンネル３４へ逃げる。
【００２３】
同様な効果が、他の面２６，２８においても、人の頭、首、または体によって覆われた程度まで起こる。暖かい空気は、矢印Ｂ，Ｃ，Ｄの方向に移動し、直接上方に、或いは端点４４を通って周囲大気に、或いは連結チャンネル３４，３６，３８，４０へ逃げる。全体的な効果は、人体からの熱が、効果的に除去され、大気に消散されることである。
【００２４】
（消散された暖かい空気と置き換わるために）入ってくる冷たい空気源は、マットレス２が空気透過性のフォームで形成される場合には、中央連結チャンネル３２に沿って、および／またはマットレス２の下からのいずれかである。
【００２５】
図２(a)は、図１のマットレスの側面図を示す。図２(a)は、マットレス２の上面に沿った（面チャンネル３０の）端点４４の分布を図示する。図２(b)は、図１のマットレスのII-II線における断面図を示す。これは、冷たい空気の流入と暖かい空気の流出を可能にする、分布した面チャンネル３０と中央連結チャンネル３２との合流点を示す。
【００２６】
図３は、本発明の他の実施形態によるマットレスにおける面チャンネルの断面を示し、(a)は中央部分でのまたはその近くでの断面であり、(b)は、外部側壁での断面である。面チャンネル３０の断面形状（ここでは実質的にＵ形）は、ある実施形態では、図１の外部側壁では、中央連結チャンネル３２での寸法（図３(a)）より大きい寸法（図３(b)）のものでも良いことが分かる。この方法により、面チャンネル３０からの暖かい空気の流れが、改善される。
【００２７】
多くの変形が可能であることは、当業者には理解されよう。面チャンネル３０は、ここでは側壁６まで延びるように記載されたが、ある実施形態では、チャンネルは、側壁６の途中までしか延びず、側壁６に届かずに終わっていてもよい。
【００２８】
また、本発明によるマットレスは、布カバー（図示せず）内に適当に閉じこめられる。好ましくは、このカバーは、空気透過性、熱多孔性、および抗菌性の不織布で作られる。
【図面の簡単な説明】
【００２９】
【図１】本発明の一実施形態によるマットレスの斜視図である。
【図２（ａ）】図１のマットレスのII-II線における断面図である。
【図２（ｂ）】図１のマットレスの側面図である。
【図３（ａ）】本発明の他の実施形態によるマットレスの中央部分のまたはその近くの面チャンネルの断面図である。
【図３（ｂ）】本発明の他の実施形態によるマットレスの外部側壁における面チャンネルの断面図である。
【図１】
2007529250.tif 000003
【図２（ａ）】
2007529250.tif 000004
【図２（ｂ）】
2007529250.tif 000005
【図３（ａ）】
2007529250.tif 000006
【図３（ｂ）】
2007529250.tif 000007
【国際調査報告】
2007529250.tif 000008
2007529250.tif 000009
2007529250.tif 000010
2007529250.tif 000011